(57)【要約】【課題】データを送信する通信経路とは異なる通信経路を用いて、データに関わる制御信号を送信する。【解決手段】映像記録再生装置１は、ＨＤＭＩケーブル２３およびｉＬｉｎｋケーブル２４のうち、データの送信に用いるｉＬｉｎｋケーブル２４とは異なるＨＤＭＩケーブル２３を用いて、データの送信に関わるｉＬｉｎｋ切換コマンドを映像表示装置２に送信するコマンド生成部１６を備えている。これにより、データを送信するｉＬｉｎｋケーブル２４とは異なるＨＤＭＩケーブル２３、データに関わるｉＬｉｎｋ切換コマンドを送信できる。【選択図】図１
2009159313.tif 000002
【特許請求の範囲】
【請求項１】
データ受信装置と複数の通信経路で接続され、該複数の通信経路のうちの１本を用いて上記データ受信装置に対しデータを送信するデータ送信装置であって、
上記複数の通信経路のうち、上記データの送信に用いる通信経路とは異なる通信経路を用いて、上記データの送信に関わる第１の制御信号を上記データ受信装置に送信する制御信号送信手段を備えていることを特徴とするデータ送信装置。
【請求項２】
送信すべきデータと該データの送信に用いる通信経路とを対応づけたテーブルを記憶している記憶部と、
送信すべき上記データを特定する第２の制御信号を上記データ受信装置から受信する制御信号受信手段と、
上記第２の制御信号によって特定された特定データに対応づけられた通信経路を、上記テーブルを参照して選択する通信経路選択手段と、
上記通信経路選択手段が選択した選択通信経路が上記制御信号受信手段が上記第２の制御信号を受信した通信経路とは異なるとき、上記選択通信経路を用いて、上記特定データを送信するデータ送信手段とを備え、
上記制御信号送信手段は、上記データ送信手段が上記特定データを送信する前に、上記特定データを上記選択通信経路を用いて送信する旨を示す制御信号を、上記第１の制御信号として、上記第２の制御信号を受信した通信経路を用いて送信することを特徴とする請求項１に記載のデータ送信装置。
【請求項３】
上記第２の制御信号が、２つの同時に送信すべきデータを特定する２データ送信信号であった場合、
上記制御信号送信手段は、上記選択通信経路が上記制御信号受信手段が上記第２の制御信号を受信した通信経路とは異なるデータを上記データ送信手段が送信する前に、当該データを上記選択通信経路を用いて送信する旨を示す制御信号を、上記第１の制御信号として、上記第２の制御信号を受信した通信経路を用いて送信することを特徴とする請求項２に記載のデータ送信装置。
【請求項４】
上記制御信号送信手段が、上記第１の制御信号を送信する通信経路は、ＨＤＭＩ（high-definition multimedia interface）規格に準拠した通信経路であることを特徴とする請求項１〜３のいずれか１項に記載のデータ送信装置。
【請求項５】
データ送信装置と複数の通信経路で接続され、該複数の通信経路のうちの１本を用いて上記データ送信装置からデータを受信するデータ受信装置であって、
上記複数の通信経路のうち、上記データの受信に用いる通信経路とは異なる通信経路を用いて、上記データの受信に関わる第１の制御信号を上記データ送信装置から受信する受信装置制御信号受信手段と、
上記データを受信するデータ受信手段とを備えていることを特徴とするデータ受信装置。
【請求項６】
請求項１〜４のいずれか１項に記載のデータ送信装置と請求項５に記載のデータ受信装置とを含むデータ送信システム。
【請求項７】
請求項１〜４のいずれか１項に記載のデータ送信装置を動作させるデータ送信装置制御プログラムであって、コンピュータを上記の各手段として機能させるためのデータ送信装置制御プログラム。
【請求項８】
請求項７に記載のデータ送信装置制御プログラムを記録したコンピュータ読み取り可能な記録媒体。
【請求項９】
データ受信装置と複数の通信経路で接続され、該複数の通信経路のうちの１本を用いて上記データ受信装置に対しデータを送信するデータ送信装置の制御方法であって、
上記複数の通信経路のうち、上記データの送信に用いる通信経路とは異なる以外の通信経路を用いて、上記データの送信に関わる第１の制御信号を上記データ受信装置に送信する制御信号送信ステップを含むことを特徴とするデータ送信装置の制御方法。
【発明の詳細な説明】
【技術分野】
【０００１】
本発明は、データ送信装置、特に、データ受信装置と複数のケーブルで接続され、そのうちの１本のみで、送信するデータの制御信号を送受信するデータ送信装置、データ受信装置、データ送信装置の制御方法、データ送信装置制御プログラムおよび該プログラムを記録したコンピュータ読み取り可能な記録媒体に関するものである。
【背景技術】
【０００２】
近年、テレビ等の映像出力機器に対し、複数の映像再生機器、例えばＤＶＤプレーヤ、ハードディスクレコーダ、パソコン等を接続し、１つのリモートコントローラ（リモコン）で、テレビ、ＤＶＤプレーヤ、ハードディスクレコーダ、パソコンを操作できるシステムが提供されている。
【０００３】
このシステムの一例を図７に示す。図７は、１つのリモコン８１で操作できる、テレビ８２とレコーダ８３、レコーダ８４、パソコン８５とが接続されたシステムを示す図である。
【０００４】
図７に示すように、テレビ８２とレコーダ８３、レコーダ８４とは、ＨＤＭＩ（high-definition multimedia interface）ケーブル８６、８７で接続され、テレビ８２とパソコン８５とは、ＨＤＭＩケーブル８８とｉＬｉｎｋ（登録商標）ケーブル８９との２本のケーブルで接続されている。そして、ＨＤＭＩケーブル８６、ＨＤＭＩケーブル８７、ＨＤＭＩケーブル８８、ｉＬｉｎｋケーブル８９は、それぞれ、テレビ８２の映像入力端子である映像入力８０１、映像入力８０２、映像入力８０４、映像入力８０３を介してテレビ８２と接続している。
【０００５】
ここで、リモコン８１からテレビ８２に対し、再生コマンドが送信された場合について説明する。
【０００６】
まず、リモコン８１において、「再生ボタン」が押されると、リモコン８１から「再生コマンド」がテレビ８２へ送信される。これは、赤外線によって送信される。
【０００７】
「再生コマンド」を受信したテレビ８２は、どの再生機器に「再生コマンド」を送信するかを決定する。
【０００８】
これは、次にようにして行う。まず、テレビ８２は、現在、チューナ部（図示せず）から受信したテレビ映像を表示しているのか、各映像再生機器（レコーダ８３、レコーダ８４、パソコン８５）に接続している映像入力端子（映像入力８０１、８０２、８０４）のうちいずれの映像入力端子から受信した映像を表示できる状態（アクティブ状態）なのかを判断する。
【０００９】
そして、現在、テレビ映像を表示している場合、その最も直近に再生した映像再生機器（ここでは、仮にレコーダ８３とする）に対し「再生コマンド」を送信する。レコーダ８３は、「再生コマンド」を受信し、「アクティブ要求コマンド」をテレビ８２に対し送信する。「アクティブ要求コマンド」を受信したテレビ８２は要求を受信したＨＤＭＩケーブル８６が接続されている映像入力８０１に映像入力端子を切り替える。その後、レコーダ８３は、再生を実施する。
【００１０】
このような処理により、レコーダ８３で再生された映像がテレビ８２で表示される。
【００１１】
一方、現在、いずれかの映像入力端子が、アクティブ状態であれば、テレビ８２は、アクティブ状態である映像入力端子と接続された映像再生機器に対し、「再生コマンド」を送信する。例えば、アクティブ状態である映像入力端子に接続された映像再生機器が、レコーダ８４であった場合、テレビ８２は、レコーダ８４に対し、「再生コマンド」を送信する。「再生コマンド」を受信したレコーダ８４は「アクティブ要求コマンド」をテレビ８２に送信する。
【００１２】
「アクティブ要求コマンド」を受信したテレビ８２は、要求を受信した映像入力８０２のアクティブ状態を維持する。そして、レコーダ８４は、再生を実施する。
【００１３】
このような処理により、レコーダ８４で再生された映像がテレビ８２で表示される。
【００１４】
また、特許文献１には、ネットワークに接続された機器をリモコンによって制御する技術が開示されている。
【特許文献１】特開２００２−２３２９７８号公報（２００２年８月１６日公開）
【発明の開示】
【発明が解決しようとする課題】
【００１５】
しかしながら、上記の方法では、最も直近に再生データを表示した映像再生機器または、現在アクティブ状態にある映像入力端子に接続されている映像再生機器がパソコン８５であった場合、上述の方法では、パソコン８５で再生された映像をテレビ８２で表示することができない。
【００１６】
これは、以下の理由による。すなわち、最後に再生した映像再生機器または、現在アクティブ状態にある映像入力端子に接続されている映像再生機器がパソコン８５であった場合、テレビ８２はパソコン８５に対し、「再生コマンド」を送信する。これは、映像入力８０４を介して、ＨＤＭＩケーブル８８を用いて行う。
【００１７】
「再生コマンド」を受信したパソコン８５は、「アクティブ要求コマンド」をテレビ８２に送信する。そして、「アクティブ要求コマンド」を受信したテレビ８２は、要求を受信した映像入力８０４をアクティブ状態とする（またはアクティブ状態を維持する）。
【００１８】
そして、パソコン８５は、再生映像をｉＬｉｎｋケーブル８９を用いて送信する。
【００１９】
よって、パソコン８５からの再生映像は、ｉＬｉｎｋケーブル８９を用いて送信され、テレビ８２は、ＨＤＭＩケーブル８８と接続されている映像入力８０４をアクティブ状態としているので、テレビ８２で、パソコン８５が再生している映像を表示できない。
【００２０】
なお、パソコン８５からの再生映像をＨＤＭＩケーブル８８ではなくｉＬｉｎｋケーブル８９で送信するのは以下の理由による。
【００２１】
すなわち、テレビ８２のチューナ部から受信した映像データをｉＬｉｎｋケーブル８９を介してパソコン８５に記憶させた場合、パソコン８５で当該映像データを再生するときに、ＨＤＭＩケーブル８８を介してテレビ８２に表示させると、著作権法の問題を生じる。具体的には、ｉＬｉｎｋケーブル８９を介してパソコン８５に記憶させた映像データをＨＤＭＩケーブル８８を介してテレビ８２に表示させると映像データの複製処理となる。よって、複製処理とならないようにするためには、パソコン８５は、受信したケーブルと同じケーブルと用いて映像データを送信する必要がある。
【００２２】
そして、現状では、以下の方法をとることで、パソコン８５による再生映像をテレビ８２で表示している。
【００２３】
まず、テレビ８２に、ｉＬｉｎｋケーブル８９から映像データが送信されてきた場合、ｉＬｉｎｋケーブル８９が接続されている映像入力８０３をアクティブ状態にするという機能を追加する。これにより、再生映像がｉＬｉｎｋケーブル８９を用いて送信されてきた時点で、テレビ８２が自動的に映像入力８０３をアクティブ状態にする。
【００２４】
そして、リモコン８１からの「再生コマンド」は、テレビ８２を介して、パソコン８５に送信されず、パソコン８５が直接リモコン８１からの「再生コマンド」を受信できるように設計されている。
【００２５】
これにより、パソコン８５による再生映像をテレビ８２で表示できるようにしている。
【００２６】
本発明は、上記のようにテレビ８２およびパソコン８５に特別な機能を追加することなく、テレビ８２において、パソコン８５による再生映像を表示できるようにするものである。
【００２７】
すなわち、本発明の目的は、データ受信装置とデータ送信装置とが複数の通信経路で接続され、そのうちの１本を用いてデータをデータ受信装置に送信する場合において、データに関わる制御信号を送信する通信経路とは異なる通信経路により送信することにある。
【課題を解決するための手段】
【００２８】
上記課題を解決するために、本発明に係るデータ送信装置は、データ受信装置と複数の通信経路で接続され、該複数の通信経路のうちの１本を用いて上記データ受信装置に対しデータを送信するデータ送信装置であって、上記複数の通信経路のうち、上記データの送信に用いる通信経路とは異なる通信経路を用いて、上記データの送信に関わる第１の制御信号を上記データ受信装置に送信する制御信号送信手段を備えていることを特徴としている。
【００２９】
また、本発明に係るデータ送信装置の制御方法は、データ受信装置と複数の通信経路で接続され、該複数の通信経路のうちの１本を用いて上記データ受信装置に対しデータを送信するデータ送信装置の制御方法であって、上記複数の通信経路のうち、上記データの送信に用いる通信経路とは異なる以外の通信経路を用いて、上記データの送信に関わる第１の制御信号を上記データ受信装置に送信する制御信号送信ステップを含むことを特徴としている。
【００３０】
上記の構成および方法によれば、複数の通信経路のうち、データの送信に用いる通信経路と異なる通信経路を用いて、上記データの送信に関わる第１の制御信号が上記データ受信装置に送信される。
【００３１】
これにより、データの送信に用いる通信経路とは異なる通信経路を用いて上記データの送信に関わる第１の制御信号を送信できるという効果を奏する。
【００３２】
また、例えば、上記第１の制御信号が、制御信号を送信している通信経路とは異なる通信経路によってデータを送信している旨を示すものであり、データ受信装置が表示部を備えるとともに、上記第１の制御信号を受信した場合に上記第１の制御信号を受信した通信経路とは異なる通信経路から受信したデータを表示するものであれば、上記第１の制御信号とは異なる通信経路から送信したデータを、データ受信装置に表示させることができるという効果を奏する。
【００３３】
さらに、本発明に係るデータ送信装置では、送信すべきデータと該データの送信に用いる通信経路とを対応づけたテーブルを記憶している記憶部と、送信すべき上記データを特定する第２の制御信号を上記データ受信装置から受信する制御信号受信手段と、上記第２の制御信号によって特定された特定データに対応づけられた通信経路を、上記テーブルを参照して選択する通信経路選択手段と、上記通信経路選択手段が選択した選択通信経路が上記制御信号受信手段が上記第２の制御信号を受信した通信経路とは異なるとき、上記選択通信経路を用いて、上記特定データを送信するデータ送信手段とを備え、上記制御信号送信手段は、上記データ送信手段が上記特定データを送信する前に、上記特定データを上記選択通信経路を用いて送信する旨を示す制御信号を、上記第１の制御信号として、上記第２の制御信号を受信した通信経路を用いて送信するものであることが好ましい。
【００３４】
上記の構成によれば、さらに、通信経路選択手段が、テーブルを参照することにより、受信した第２の制御信号によって特定された送信すべき特定データと対応づけられた通信経路が選択する。そして、選択通信経路が上記制御信号受信手段が上記第２の制御信号を受信した通信経路とは異なるとき、制御信号送信手段は、特定データを上記選択通信経路を用いて送信する旨を示す制御信号を、上記第１の制御信号として、上記第２の制御信号を受信した通信経路を用いて送信する。その後、データ送信手段は、上記特定データを上記選択通信経路を用いて送信する。
【００３５】
これにより、第２の制御信号を受信した通信経路と異なる選択通信経路を用いてデータを送信するということを、データ受信装置に認識させることができる。よって、データ受信装置が上記認識すると、上記選択通信経路から受信したデータを表示するものである場合、上記選択通信経路を用いて送信したデータを、データ受信装置に対し表示させることができるという効果を奏する。
【００３６】
本発明に係るデータ送信装置では、さらに、上記第２の制御信号が、２つの同時に送信すべきデータを特定する２データ送信信号であった場合、上記制御信号送信手段は、上記選択通信経路が上記制御信号受信手段が上記第２の制御信号を受信した通信経路とは異なるデータを上記データ送信手段が送信する前に、当該データを上記選択通信経路を用いて送信する旨を示す制御信号を、上記第１の制御信号として、上記第２の制御信号を受信した通信経路を用いて送信するものであることが好ましい。
【００３７】
上記の構成によれば、第２の制御信号として、２データ送信信号を受信した場合、制御信号送信手段は、上記選択通信経路が上記制御信号受信手段が上記第２の制御信号を受信した通信経路とは異なるデータを上記データ送信手段が送信する前に、当該データを上記選択通信経路を用いて送信する旨を示す制御信号を、上記第１の制御信号として、上記第２の制御信号を受信した通信経路を用いて送信する。
【００３８】
これにより、２つの送信すべきデータのうち、第１の制御信号の送信に用いた通信経路とは異なる通信経路で送信されるデータについては、データ受信装置に対し、第１の制御信号の送信に用いた通信経路とは異なる通信経路で送信するということを認識させることができる。
【００３９】
よって、例えば、制御信号を受信した通信経路と異なる通信経路から受信したデータを含めて同時に２画面で表示できるものであれば、データ送信装置は送信した２つのデータをデータ受信装置で２画面表示させることができるという効果を奏する。
【００４０】
さらに、上述の効果は、上記制御信号送信手段が、上記第１の制御信号を送信する通信経路は、ＨＤＭＩ（high-definition multimedia interface）規格に準拠した通信経路である場合にも奏することができる。
【００４１】
例えば、テレビと複数のケーブルで接続され、そのうちの少なくとも１本がＨＤＭＩケーブルで、該ＨＤＭＩケーブルでのみ制御信号を送信するパソコン等であっても上述した効果を奏することができる。
【００４２】
上記課題を解決するために、本発明に係るデータ受信装置は、データ送信装置と複数の通信経路で接続され、該複数の通信経路のうちの１本を用いて上記データ送信装置からデータを受信するデータ受信装置であって、上記複数の通信経路のうち、上記データの受信に用いる通信経路とは異なる通信経路を用いて、上記データの受信に関わる第１の制御信号を上記データ送信装置から受信する表示装置制御信号受信手段と、上記データを受信するデータ受信手段とを備えていることを特徴としている。
【００４３】
上記の構成によれば、複数の通信経路のうち、データの受信に用いる通信経路と異なる通信経路を用いて、上記データの受信に関わる第１の制御信号を上記データ送信装置から受信する。そして、上記データを上記データ送信装置から受信する。
【００４４】
よって、例えば、上記第１の制御信号が、制御信号を受信している通信経路とは異なる通信経路によってデータを送信している旨を示すものであれば、上記第１の制御信号を受信することで、上記第１の制御信号を受信した通信経路とは異なる通信経路からデータを受信するということが認識でき、当該通信経路からデータを受信することができる。そして、データ受信装置が表示部を備えるものであれば、受信したデータを表示させることができるという効果を奏する。
【００４５】
上記データ送信装置と上記データ受信装置とを含むデータ送信システムであっても、上述した効果を奏することができる。
【００４６】
なお、上記データ送信装置は、コンピュータによって実現してもよく、この場合には、コンピュータを上記各手段として動作させることにより上記データ送信装置をコンピュータにて実現させるデータ送信装置の制御プログラム、およびそれを記録したコンピュータ読み取り可能な記録媒体も、本発明の範疇に入る。
【発明の効果】
【００４７】
以上のように、本発明に係るデータ送信装置は、複数の通信経路のうち、データの送信に用いる通信経路とは異なる通信経路を用いて、上記データの送信に関わる第１の制御信号を上記データ受信装置に送信する制御信号送信手段を備えている構成である。
【００４８】
また、本発明に係るデータ送信装置の制御方法は、複数の通信経路のうち、データの送信に用いる通信経路とは異なる通信経路を用いて、上記データの送信に関わる第１の制御信号を上記データ受信装置に送信する制御信号送信ステップを含む方法である。
【００４９】
これにより、データの送信に用いる通信経路とは異なる通信経路を用いて上記データの送信に関わる第１の制御信号を送信できるという効果を奏する。
【００５０】
また、例えば、上記第１の制御信号が、制御信号を送信している通信経路とは異なる通信経路によってデータを送信している旨を示すものであり、データ受信装置が、上記第１の制御信号を受信した場合、上記第１の制御信号を受信した通信経路とは異なる通信経路から受信したデータを表示するものであれば、上記第１の制御信号とは異なる通信経路から送信したデータを、データ受信装置に表示させることができるという効果を奏する。
【００５１】
さらに、本発明に係るデータ受信装置は、複数の通信経路のうち、上記データの受信に用いる通信経路とは異なる通信経路を用いて、上記データの受信に関わる第１の制御信号を上記データ送信装置から受信する表示装置制御信号受信手段と、上記データを受信するデータ受信手段とを備えている構成である。
【００５２】
これにより、例えば、上記第１の制御信号が、制御信号を受信している通信経路とは異なる通信経路によってデータを送信している旨を示すものであれば、上記第１の制御信号を受信することで、上記第１の制御信号を受信した通信経路とは異なる通信経路からデータを受信するということが認識できる。そして、データ受信装置が表示部を備えるものであれば、当該通信経路から受信したデータを表示させることができるという効果を奏する。
【発明を実施するための最良の形態】
【００５３】
〔実施の形態１〕
本発明の一実施の形態について図１から図７に基づいて説明すれば、以下のとおりである。なお、以下では複数の通信経路として２本のケーブルを用いた場合で説明するが、本発明はこれに限られるものではない。通信経路は２本でなくてもよく、また、有線ではなく無線で接続されるものであってもよい。
【００５４】
図１は、本実施の形態に係る、映像記録再生装置（データ送信装置）１と接続された映像表示装置（データ受信装置）２、リモコン３、他の映像記録再生装置４、５とで構成された映像再生システム２０の概略、映像表示装置２の要部構成、および映像記録再生装置１の要部構成を示すブロック図である。
【００５５】
図１に示すように、映像再生システム２０においては、リモコン３と映像表示装置２との間で赤外線により通信が可能である。そして、映像表示装置２の映像入力端子であるＨＤＭＩ入出力部２０１は、映像記録再生装置４とＨＤＭＩケーブル２１を介して接続されており、ＨＤＭＩ入出力部２０２は、映像記録再生装置５とＨＤＭＩケーブル２２を介して接続されている。
【００５６】
また、映像表示装置２の映像入力端子であるＨＤＭＩ入出力部２０３は、ＨＤＭＩケーブル（通信経路）２３を介して映像記録再生装置１と接続されており、ｉＬｉｎｋ入出力部２０４は、ｉＬｉｎｋケーブル（通信経路）２４を介して映像記録再生装置１と接続されている。すなわち、ＨＤＭＩ入出力部２０３とｉＬｉｎｋ入出力部２０４とは同じ映像再生装置である映像記録再生装置１と接続されている。
【００５７】
なお、本実施の形態では、各映像記録再生装置をコントロールするための信号（コマンド）は、ＨＤＭＩケーブルを介してのみ送受信可能であり、ｉＬｉｎｋケーブルには、映像データ等のデータのみ送受信可能である。
【００５８】
図１に示すように、映像記録再生装置１は、ＨＤＭＩインターフェース部１１、ｉＬｉｎｋインターフェース部１２、データ送受信部（データ送信手段）１３、記憶部１４、コマンド判断部（通信経路選択手段、制御信号受信手段）１５、およびコマンド生成部（制御信号送信手段）１６により構成されている。
【００５９】
ＨＤＭＩインターフェース部１１は、ＨＤＭＩケーブル２３を接続しているインターフェース部であり、ＨＤＭＩケーブル２３を介して映像表示装置２のＨＤＭＩ入出力部２０３から送信されてきたコマンドや映像データ等のデータを受信し、データ送受信部１３へ送信する。また、データ送受信部１３から受信したコマンドや映像データ等のデータを映像表示装置２のＨＤＭＩ入出力部２０３へ送信する。
【００６０】
ｉＬｉｎｋインターフェース部１２は、ｉＬｉｎｋケーブル２４を接続しているインターフェース部であり、ｉＬｉｎｋケーブル２４を介して映像表示装置２のｉＬｉｎｋ入出力部２０４から送信されてきた映像データ等のデータを受信し、データ送受信部１３へ送信する。また、データ送受信部１３から受信した映像データ等のデータを映像表示装置２のｉＬｉｎｋ入出力部２０４へ送信する。
【００６１】
データ送受信部１３は、ＨＤＭＩインターフェース部１１またはｉＬｉｎｋインターフェース部１２から受信した映像データ等のデータを記憶部１４に記憶させる。また、記憶部１４に記憶されている映像データ等のデータをＨＤＭＩインターフェース部１１またはｉＬｉｎｋインターフェース部１２を介して映像表示装置２へ送信する。
【００６２】
ここで、データ送受信部１３が、映像表示装置２に対して送信する映像データを、ＨＤＭＩインターフェース部１１またはｉＬｉｎｋインターフェース部１２のどちらを用いて行うかについては、コマンド判断部１５の指示に基く。
【００６３】
記憶部１４は、データ送受信部１３が受信した映像データ等のデータや、コマンド内容とコマンド番号との対応を示すテーブル、データの内容と対応する送信するケーブルを示すテーブル、直近の再生対象データ等を記憶している。記憶部１４の具体例としては、大容量のデータを記憶することができ、内容の消去、再書き込みが可能なフラッシュメモリが挙げられる。
【００６４】
ここで、図３、４に、記憶部１４に記憶されているテーブルの内容を示す。図３は、コマンドの内容とコマンド番号との対応を示すコマンド番号テーブル３０１を示し、図４は、データの内容と送信に用いるべきケーブルとの対応を示すケーブル対応テーブル４０１を示す。
【００６５】
ケーブル対応テーブル４０１に記憶されている、データのファイル名と送信に用いるべきケーブルとの対応は、以下の理由により決定される。
【００６６】
すなわち、記憶部１４に記憶されている映像データは、映像表示装置２に備えられているチューナ部２０９から受信した映像データや、映像記録再生装置１がインターネット上から取得した映像データ等である。
【００６７】
そして、チューナ部２０９から受信したデータの場合、上述した著作権法上の問題により、映像データの受信に用いたケーブルと別のケーブルで送信することができない。すなわち、ｉＬｉｎｋケーブル２４を用いて受信した映像データをＨＤＭＩケーブル２３を用いて送信することはできない。
【００６８】
このような理由から、映像データの送信に用いるべきケーブルが決定される。また、これは、ユーザによって変更することはできない。
【００６９】
例えば、図３に示すテーブルでは、映像データＡは、ｉＬｉｎｋケーブル２４を介して取得された映像データであり、ｉＬｉｎｋケーブル２４を介して送信される。そして、ユーザによる送信に用いるケーブルの変更は不可である。
【００７０】
また、映像データＢは、図示しないＬＡＮ（local area network）から取得され、ｉＬｉｎｋケーブル２４を介して送信される。そして、映像データＢは、映像表示装置２から取得した映像データではないので、送信に用いるケーブルをＨＤＭＩケーブル２３に変更することは可能である。
【００７１】
一方、映像データＣは、ＨＤＭＩケーブル２３を介して取得されているので、ＨＤＭＩケーブル２３を用いてのみ送信可能であり、送信に用いるケーブルの変更は不可である。
【００７２】
また、送信に用いるケーブルの変更は、送信ケーブル変更部（図示せず）が行う。送信ケーブル変更部は、ユーザ等から受け取った変更指示に対し、ケーブル対応テーブル４０１を参照して、対象となるデータが変更可能か否かを判断し、変更可能であれば送信ケーブルを変更し、変更不可であれば、送信ケーブルを変更しない。
【００７３】
コマンド判断部１５は、ＨＤＭＩインターフェース部１１を介して受信したコマンドが示す指示について、記憶部１４に記憶されているケーブル対応テーブル４０１を用いて、ＨＤＭＩインターフェース部１１から送信するデータについてのものか、ｉＬｉｎｋインターフェース部１２から送信するデータについてのものかを判断する。そして、判断結果を、データ送受信部１３、およびコマンド生成部１６に送信する。
【００７４】
例えば、受信したコマンドが「再生コマンド」である場合、コマンド判断部１５は、記憶部１４に記憶された再生記録から、再生対象が映像データＡと判断し、テーブルから、映像データＡの再生は、ｉＬｉｎｋインターフェース部１２を介して行うと判断する。そして、その内容をデータ送受信部１３へ送信する。データ送受信部１３は、受信した内容に基づいて、記憶部１４に記憶されている映像データＡの再生データをｉＬｉｎｋインターフェース部１２を介して映像表示装置２へ送信する。
【００７５】
コマンド生成部１６は、コマンド判断部１５から受信した判断結果により、新たにコマンドを生成する必要がある場合は、コマンドを生成しＨＤＭＩインターフェース部１１を介して映像表示装置２へ送信する。
【００７６】
例えば、コマンド判断部１５から「ｉＬｉｎｋインターフェース部１２を介してデータを送信する」という内容を受信した場合、映像表示装置２に対し、ｉＬｉｎｋケーブル２４と接続しているｉＬｉｎｋ入出力部２０４から受信した映像データを表示できるように要求するコマンドを作成し、ＨＤＭＩインターフェース部１１を介して送信する。
【００７７】
また、映像表示装置２は、ＨＤＭＩ入出力部２０１、ＨＤＭＩ入出力部２０２、ＨＤＭＩ入出力部２０３、ｉＬｉｎｋ入出力部２０４、赤外線受光部２０５、アクティブ状態判断部２０６、表示部２０７、映像データ取得部（データ受信部）２０８、チューナ部２０９、およびコマンド送受信部（受信装置制御信号受信手段）２１０から構成されている。
【００７８】
ＨＤＭＩ入出力部２０１〜２０３は、ＨＤＭＩケーブル２１〜２３で接続された他の映像記録再生装置１、４、５との間で、コマンドおよびデータの送受信を行う。
【００７９】
ｉＬｉｎｋ入出力部２０４は、ｉＬｉｎｋケーブル２４で接続された映像記録再生装置１との間でデータの送受信を行う。
【００８０】
コマンド送受信部２１０は、赤外線受光部２０５を介してリモコン３から受信したコマンドを、アクティブ状態判断部２０６の指示に基づいてＨＤＭＩ入出力部２０１〜２０３の何れかを介して映像記録再生装置１、４、５の何れかに送信する。
【００８１】
アクティブ状態判断部２０６は、何れの映像入力端子がアクティブ状態かを判断し、アクティブ状態と判断した先を示す情報をコマンド送受信部２１０へ伝える。なお、ｉＬｉｎｋ入出力部２０４から入力されている映像データが表示部２０７で表示できる状態の場合は、ｉＬｉｎｋケーブル２４と同じ装置に接続されているＨＤＭＩ入出力部２０３がアクティブ状態であると判断する。
【００８２】
ここで、アクティブ状態とは、当該映像入力端子から受信した映像データを映像表示装置２において表示できる状態をいう。
【００８３】
表示部２０７は、映像表示装置２が受信した映像データを表示する。この表示部２０７としては、情報の表示が可能な表示装置であればどのような装置によって実現されてもよいが、具体的な例としては、液晶表示装置が挙げられる。
【００８４】
映像データ取得部２０８は、チューナ部２０９が受信したテレビ放送の映像データを取得する。そして、取得した映像データを、ユーザインタフェース（図示せず）で受信したユーザの指示に応じて、表示部２０７、ＨＤＭＩ入出力部２０１〜２０３、ｉＬｉｎｋ入出力部２０４へ送信する。
【００８５】
チューナ部２０９は、テレビ放送を受信するチューナ部である。なお、テレビ放送はチューナ部２０９に接続されたアンテナ（図示せず）等から受信することができる。
【００８６】
次に、図４を用いて、本実施の形態に係る映像再生システム２０における処理の流れを説明する。図４は、映像再生システム２０において、再生処理がなされた場合の処理の流れを示すフローチャートである。
【００８７】
まず、リモコン３は、再生ボタン３１が押下されることにより、再生指示を受け付け、赤外線発光部３３から赤外線を発光し、「再生コマンド」（第２の制御信号）を赤外線送信する。なお、「再生コマンド」は、「００１」という信号で送信される。
【００８８】
次に、映像表示装置２は、赤外線受光部２０５において「再生コマンド」を受信する（Ｓ４０１）。「再生コマンド」を受信した映像表示装置２は、「再生コマンド」の送信先を決定する（Ｓ４０２）。これは、従来技術と同様の方法で行う。すなわち、現在、映像表示装置２でチューナ部２０９から受信した映像データ（ＴＶ放送）を表示しているか否かを判断する。そして、チューナ部２０９から受信した映像データを表示していなければ、ＨＤＭＩ入出力部２０１〜２０３のうち、どの映像入力端子がアクティブ状態かを判断する。そして、アクティブ状態の映像入力端子を「再生コマンド」の送信先として決定する。
【００８９】
また、チューナ部２０９から受信した映像データを表示している場合は、最も直近に再生を行った映像入力端子を「再生コマンド」の送信先として決定する。
【００９０】
そして、映像表示装置２は、決定した送信先に「再生コマンド」を送信する（Ｓ４０３）。その後は、送信先の映像記録再生装置（映像記録再生装置１、映像記録再生装置４、映像記録再生装置５）が、映像表示装置２と１つのケーブルで接続されているか、２つのケーブルで接続されているかで、処理が分かれる。
【００９１】
映像記録再生装置１に対し、「再生コマンド」がコマンドが送信された場合、映像記録再生装置１と映像表示装置２とはＨＤＭＩケーブル２３とｉＬｉｎｋケーブル２４との２本のケーブルで接続されているので、Ｓ４０４へ進む。
【００９２】
「再生コマンド」を受信した映像記録再生装置１は、コマンド判断部１５が、受信したコマンドの対象となる映像データがどれであるかを判断する。これは、記憶部１４に記憶されている直近に再生した映像データを参照することにより行う。ここでは、映像データＡとする。そして、コマンド判断部１５は、記憶部１４に記憶されているケーブル対応テーブル４０１を参照して、映像データＡの送信先ケーブルを決定する（Ｓ４０４）。
【００９３】
そして、コマンド判断部１５は、再生の対象となる映像データＡは、ｉＬｉｎｋで送信するデータと判断し（Ｓ４０５でＹＥＳ）、データ送受信部１３とコマンド生成部１６とに映像データＡをｉＬｉｎｋで送信することを伝える。
【００９４】
再生の対象となる映像データＡをｉＬｉｎｋで送信するということを伝えられたコマンド生成部１６は、映像表示装置２が、映像データの受信をＨＤＭＩケーブル２３経由ではなくｉＬｉｎｋケーブル２４経由で受信できるためのコマンドであるｉＬｉｎｋ切換コマンド（第１の制御信号）を生成し、ＨＤＭＩインターフェース部１１を介して映像表示装置２へ送信する（Ｓ４０６）。
【００９５】
ｉＬｉｎｋ切換コマンドを受信した映像表示装置２は、ｉＬｉｎｋケーブル２４と接続しているｉＬｉｎｋ入出力部２０４から受信した映像データを表示部２０７で表示できるようにする（Ｓ４０７）。
【００９６】
また、再生の対象となる映像データＡをｉＬｉｎｋで送信するということを伝えられたデータ送受信部１３は、記憶部１４に記憶されている映像データＡを、ｉＬｉｎｋインターフェース部１２を介して映像表示装置２へ、再生しながら送信する（Ｓ４０８）。以上により、映像データＡの再生映像が映像表示装置２の表示部２０７で表示される。
【００９７】
一方、再生の対象となる映像データをｉＬｉｎｋで送信しない場合、例えば、対象となるデータが映像データＣであった場合、コマンド判断部１５は、再生の対象となる映像データＣは、ＨＤＭＩで送信するデータと判断し（Ｓ４０５でＮＯ）、データ送受信部１３とコマンド生成部１６とに映像データＣをＨＤＭＩで送信することを伝える。
【００９８】
再生の対象となる映像データＣをＨＤＭＩで送信するということを伝えられたコマンド生成部１６は、映像表示装置２がＨＤＭＩケーブル２３経由で映像データの受信を維持するためのコマンドである維持コマンドを生成し、ＨＤＭＩインターフェース部１１を介して映像表示装置２へ送信する（Ｓ４０９）。
【００９９】
そして、維持コマンドを受信した映像表示装置２は、ＨＤＭＩケーブル２３と接続しているＨＤＭＩ入出力部２０３から受信した映像データの表示を表示部２０７で維持できるようにする（Ｓ４１０）。
【０１００】
また、再生の対象となる映像データＣをＨＤＭＩで送信するということを伝えられたデータ送受信部１３は、記憶部１４に記憶されている映像データＣを、ＨＤＭＩインターフェース部１１を介して映像表示装置２へ、再生しながら送信する（Ｓ４１１）。以上により、映像データＡの再生映像が映像表示装置２の表示部２０７で表示される。
【０１０１】
他方、映像記録再生装置４または映像記録再生装置５に対し、「再生コマンド」が送信された場合、映像記録再生装置４、５と映像表示装置２とはＨＤＭＩケーブル２３の１本のみで接続されているので、Ｓ４１２へ進む。
【０１０２】
「再生コマンド」を受信した映像記録再生装置４または映像記録再生装置５は、映像表示装置２が、映像データの受信をＨＤＭＩケーブル２１またはＨＤＭＩケーブル２２経由で維持できるためのコマンドである維持コマンドを生成し、映像表示装置２へ送信する（Ｓ４１２）。
【０１０３】
そして、維持コマンドを受信した映像表示装置２は、ＨＤＭＩケーブル２１またはＨＤＭＩケーブル２２から受信した映像データの表示を表示部２０７で維持できるようにする（Ｓ４１３）。次に、映像記録再生装置４、５は、映像データを、映像表示装置２へ、再生しながら送信する（Ｓ４１４）。以上により、映像データの再生映像が映像表示装置２の表示部２０７で表示される。
【０１０４】
以上で、映像再生システム２０において、再生処理がなされた場合の処理が終了する。
【０１０５】
上記の方法によれば、映像表示装置２から映像記録再生装置１へ送信されたコマンド（再生コマンド）により、コマンドが送受信されているケーブル（ＨＤＭＩケーブル２３）とは異なるケーブル（ｉＬｉｎｋケーブル２４）を用いて送受信されるデータ（映像データＡ）を制御することができる。
【０１０６】
なお、映像記録再生装置１から映像データをｉＬｉｎｋケーブル２４を介して送信し、再生映像を映像表示装置２で表示する場合に、リモコン３から「再生コマンド」を受信した映像表示装置２が、「再生コマンド」とは異なる新たなコマンドを作成した上で、その新たなコマンドを映像記録再生装置１に送信するとで、映像表示装置２での表示を可能とするものであってもよい。
【０１０７】
すなわち、リモコン３から「再生コマンド」を受信した映像表示装置２は、アクティブ状態の映像入力端子がＨＤＭＩ入出力部２０３であると判断した場合に、受信した「再生コマンド」とは異なる特殊なコマンドである「再生コマンドα」を作成し、映像記録再生装置１に送信する。
【０１０８】
「再生コマンドα」を受信した映像記録再生装置１は、受信したコマンドが特殊コマンドであることを認識し、ｉＬｉｎｋへの切換要求を行うコマンドを作成し、映像表示装置２へ送信する。以降は、上記した内容と同様である。
【０１０９】
この方法であっても、ｉＬｉｎｋケーブル２４を介して、映像記録再生装置１から映像表示装置２へ送信された映像データを映像表示装置２で表示することが可能である。
【０１１０】
以上のように、本実施の形態に係る映像記録再生装置１は、映像表示装置２と２本のケーブル（ＨＤＭＩケーブル２３、ｉＬｉｎｋケーブル２４）で接続され、該２本のケーブルを用いて映像表示装置２に対しデータを送信し、上記２本のケーブルのうちの１本（ＨＤＭＩケーブル２３）のみで、上記データに対する制御信号、例えば再生信号を送受信する。
【０１１１】
そして、映像表示装置２から受信した再生信号によって特定されるデータが上記２本のケーブルから、データを送信するケーブルを選択するコマンド判断部１５と、コマンド判断部１５が、上記再生信号を受信したケーブル（ＨＤＭＩケーブル２３）とは異なるケーブル（ｉＬｉｎｋケーブル２４）を用いて上記データを送信すると判断した場合、映像表示装置２に、上記再生信号を受信したケーブルと異なるケーブルから送信した上記データを表示させるｉＬｉｎｋ切換コマンドを、上記再生信号を受信したケーブルと同じケーブルを用いて送信するコマンド生成部１６と、コマンド判断部１５によって用いると判断されたケーブルに上記再生信号が制御するデータを送信するデータ送受信部１３と、を備えている。
【０１１２】
これにより、再生信号を受信したケーブル（ＨＤＭＩケーブル２３）と異なるケーブル（ｉＬｉｎｋケーブル２４）を用いてデータを送信した場合であっても、映像表示装置２において、ｉＬｉｎｋケーブル２４を用いて送信されたデータを受信することが可能となり、受信したデータを表示することが可能となる。
【０１１３】
〔実施の形態２〕
本発明の他の実施の形態について図５および図６に基づいて説明すれば、以下のとおりである。なお、説明の便宜上、前記の実施の形態１において示した部材と同一の機能を有する部材には、同一の符号を付し、その説明を省略する。
【０１１４】
本実施の形態では、映像記録再生装置１と映像表示装置２とを接続しているＨＤＭＩケーブル２３とｉＬｉｎｋケーブル２４との２本のケーブルに流れる映像データを、映像表示装置２の画面を２画面表示として、表示可能とするものである。
【０１１５】
図５に２画面表示の例を示す。図５は、映像表示装置２において、映像記録再生装置１から映像データが、ＨＤＭＩケーブル２３およびｉＬｉｎｋケーブル２４の両方から送信されている場合の２画面表示を一例を示す図である。
【０１１６】
この例の場合は、ＨＤＭＩケーブル２３から送信されてきた映像データが、画面全体に表示され（ＨＤＭＩ出力画面６２）、これと重なるような形でｉＬｉｎｋケーブル２４から送信されてきた映像データが画面向かって右隅に表示される（ｉＬｉｎｋ出力画面６１）。
【０１１７】
例えば、ｉＬｉｎｋケーブル２４から送信されてきた映像データが映画コンテンツであり、ＨＤＭＩケーブル２３から送信されてきた映像データが当該映画コンテンツの情報（例えば、映画のあらすじ、主演者名、トータルの時間等）を示す内容だとすると、ユーザは、映画コンテンツを楽しみながら、同時に、当該映画に関する様々な情報を得ることができる。
【０１１８】
次に、２画面表示を行う場合の映像再生システム２０における処理の流れを図６を用いて説明する。図６は、映像再生システム２０において、２画面表示を行う場合の処理の流れを示すフローチャートである。
【０１１９】
まず、リモコン３は、２画面ボタン３２を押下されることにより、２画面表示指示を受け付け、赤外線発光部３３から赤外線を発光し、「２画面表示コマンド」を赤外線送信する。
【０１２０】
ここで、「２画面表示コマンド」とは、２つのデータを同時に送信するように指示するコマンドである。
【０１２１】
次に、映像表示装置２は、赤外線受光部２０５において「２画面コマンド」を受信する（Ｓ６０１）。「２画面表示コマンド」を受信した映像表示装置２は、画面を図６で示した２画面表示にするとともに（Ｓ６０２）、「２画面表示コマンド」の送信先を決定する（Ｓ６０３）。これは、上記実施の形態１と同様の方法で行う。
【０１２２】
そして、決定した送信先と、映像表示装置とが２つのケーブルで接続されている場合（Ｓ６０４でＹＥＳ）、すなわち、送信先が映像記録再生装置１である場合、映像記録再生装置１は、「２画面表示コマンド」を受信する。そして、コマンド判断部１５において、２つのデータを同時に送信するコマンドであることを判断し、ＨＤＭＩインターフェース部１１およびｉＬｉｎｋインターフェース部１２の両方から「２画面表示コマンド」によって特定された映像データを送信するように、データ送受信部１３に対し指示する。
【０１２３】
そして、コマンド判断部１５から指示を受けた、データ送受信部１３は、映像データをＨＤＭＩインターフェース部１１およびｉＬｉｎｋインターフェース部１２を介して送信する（Ｓ６０５）。
【０１２４】
ここで、映像記録再生装置１がＰＣ（personal computer）の場合、例えば、ＨＤＭＩインターフェース部１１およびｉＬｉｎｋインターフェース部１２から送信する映像データは、記憶部１４に記憶されている映像データをｉＬｉｎｋインターフェース部１２から送信し、映像記録再生装置１におけるＰＣ画面をＨＤＭＩインターフェース部１１から送信する。なお、これに限らず、ＨＤＭＩインターフェース部１１およびｉＬｉｎｋインターフェース部１２ともに、記憶部１４に記憶されている映像データを送信するものであってもよい。
【０１２５】
なお、ここで送信する２つのデータは、ユーザが選択できるものであってもよいし、過去に送信されたデータのうち、直近に送信されたデータから２つを選択して送信するものであってもよい。また、記憶部に記憶された日時が最新のものから２つのデータを送信するものであってもよい。
【０１２６】
その後、再びリモコン３の２画面ボタン３２が押下されると（Ｓ６０７）、「２画面表示コマンド」が映像表示装置２に送信される。そして、「２画面表示コマンド」を受信した映像表示装置２は、画面を１画面にするとともに、ｉＬｉｎｋ入出力部２０４からの映像データのみを表示する（Ｓ６０８）。そして、「２画面表示コマンド」をＨＤＭＩ入出力部２０３を介して映像記録再生装置１に送信する（Ｓ６０９）。
【０１２７】
２画面表示状態、すなわち、ＨＤＭＩインターフェース部１１とｉＬｉｎｋインターフェース部１２との両方から映像データを送信中に、「２画面表示コマンド」を受信した映像記録再生装置１のコマンド判断部１５は、ＨＤＭＩインターフェース部１１を介して送信している映像データの送信を停止し、ｉＬｉｎｋインターフェース部１２を介して送信している映像データのみを送信するようにデータ送受信部１３に伝える。
【０１２８】
コマンド判断部１５より指示を受けたデータ送受信部１３は、ＨＤＭＩインターフェース部１１を介して送信している映像データの送信を停止し、ｉＬｉｎｋインターフェース部１２を介して送信している映像データのみ送信を続ける（Ｓ６１０）。
【０１２９】
一方、２画面表示が行われている最中に、ｉＬｉｎｋケーブル２４を介して送信されている映像データのストリーミング再生が終了した場合、データ送受信部１３は、ストリーミング再生の終了を検知し（Ｓ６１１）、映像データの送信を停止する（Ｓ６１２）。そして、データ送受信部１３は、ストリーミング再生が終了したことをコマンド生成部１６に伝える。データ送受信部１３よりストリーミング再生の終了を受信したコマンド生成部１６は、映像表示装置２に対し、表示画面を１画面とし、ＨＤＭＩケーブル２３を介して送信している映像データのみを表示するようにコマンドを生成し、ＨＤＭＩインターフェース部１１を介して映像表示装置２に送信する（Ｓ６１３）。
【０１３０】
当該コマンドを受信した映像表示装置２は、表示画面を１画面とし、ＨＤＭＩケーブル２３から受信した映像データのみを表示する（Ｓ６１４）。
【０１３１】
なお、映像記録再生装置１は、映像表示装置２の表示画面を１画面とするコマンドを生成する場合に、ＨＤＭＩインターフェース部１１から送信する映像データを前面に表示させ、ｉＬｉｎｋインターフェース部１２から送信する映像データを背面に表示させるようなコマンドを生成するものであってもよい。この場合、当該コマンドを受信した映像表示装置２は、表示画面を１画面とし、ＨＤＭＩケーブル２３から受信した映像データを前面に表示し、ｉＬｉｎｋケーブル２４から受信した映像データを後面に表示させる。
【０１３２】
一方、「２画面コマンド」の送信先が、映像表示装置と２つのケーブルで接続されていなかった場合（Ｓ６０４でＮＯ）、従来の２画面表示の処理を行う（Ｓ６０６）。すなわち、映像表示装置２は、チューナ部２０９から受信した映像データと映像記録再生装置４または映像記録再生装置５から受信した映像データとを表示部２０７で２画面表示する。
【０１３３】
本発明は上述した各実施の形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１３４】
最後に、映像記録再生装置１の各ブロック、特にデータ送受信部１３、コマンド判断部１５およびコマンド生成部１６は、ハードウェアロジックによって構成してもよいし、次のようにＣＰＵを用いてソフトウェアによって実現してもよい。
【０１３５】
すなわち、映像記録再生装置１は、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである映像記録再生装置１の制御プログラムのプログラムコード（実行形式プログラム、中間コードプログラム、ソースプログラム）をコンピュータで読み取り可能に記録した記録媒体を、上記映像記録再生装置１に供給し、そのコンピュータ（またはＣＰＵやＭＰＵ（microprocessor unit））が記録媒体に記録されているプログラムコードを読み出し実行することによっても、達成可能である。
【０１３６】
上記記録媒体としては、例えば、磁気テープやカセットテープ等のテープ系、フロッピー（登録商標）ディスク／ハードディスク等の磁気ディスクやＣＤ−ＲＯＭ（compact disc read-only memory）／ＭＯ（magneto-optical）／ＭＤ（Mini Disc）／ＤＶＤ（digital video disk）／ＣＤ−Ｒ（CD Recordable）等の光ディスクを含むディスク系、ＩＣカード（メモリカードを含む）／光カード等のカード系、あるいはマスクＲＯＭ／ＥＰＲＯＭ（erasable programmable read-only memory）／ＥＥＰＲＯＭ（electrically erasable and programmable read-only memory）／フラッシュＲＯＭ等の半導体メモリ系などを用いることができる。
【０１３７】
また、映像記録再生装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ（local area network）、ＩＳＤＮ（integrated services digital network）、ＶＡＮ（value-added network）、ＣＡＴＶ（community antenna television）通信網、仮想専用網（virtual private network）、電話回線網、移動体通信網、衛星通信網等が利用可能である。また、通信ネットワークを構成する伝送媒体としては、特に限定されず、例えば、ＩＥＥＥ（institute of electrical and electronic engineers）１３９４、ＵＳＢ、電力線搬送、ケーブルＴＶ回線、電話線、ＡＤＳＬ（asynchronous digital subscriber loop）回線等の有線でも、ＩｒＤＡ（infrared data association）やリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１３８】
映像表示装置と２本のケーブルで接続され、そのうちの１本に流れる制御信号により他方のケーブルに流れる映像表示装置へのデータを制御することができるので、例えば、映像表示装置と、ＨＤＭＩケーブルおよびｉＬｉｎｋケーブルで接続され、制御信号をＨＤＭＩケーブルで受信し、映像データをｉＬｉｎｋケーブルで送信する映像記録再生装置に好適である。
【図面の簡単な説明】
【０１３９】
【図１】本発明の実施形態を示すものであり、映像記録再生装置、映像表示装置、リモコンで構成された映像再生システム、映像記録再生装置および映像表示装置の要部構成を示すブロック図である。
【図２】上記実施形態における、コマンドの内容とコマンド番号との対応を示すコマンド番号テーブルを示す図である。
【図３】上記実施形態における、データの内容と送信に用いるべきケーブルとの対応を示すケーブル対応テーブルを示す図である。
【図４】上記実施形態における、映像再生システムで再生処理がなされた場合の処理の流れを示すフローチャートである。
【図５】本発明の他の実施形態における、映像表示装置において、映像記録再生装置から映像データを２画面表示している一例を示す図である。
【図６】上記他の実施形態における、映像再生システムで２画面表示を行う場合の処理の流れを示すフローチャートである。
【図７】従来技術を示すものであり、映像再生システムを示す図である。
【符号の説明】
【０１４０】
１    映像記録再生装置（データ送信装置）
２    映像表示装置（データ受信装置）
３    リモコン
４    映像記録再生装置
５    映像記録再生装置
１１    ＨＤＭＩインターフェース部
１２    ｉＬｉｎｋインターフェース部
１３    データ送受信部（データ送信手段）
１４    記憶部
１５    コマンド判断部（通信経路選択手段、制御信号受信手段）
１６    コマンド生成部（制御信号送信手段）
２０    映像再生システム
２１    ＨＤＭＩケーブル
２２    ＨＤＭＩケーブル
２３    ＨＤＭＩケーブル（通信経路）
２４    ｉＬｉｎｋケーブル（通信経路）
２０１    ＨＤＭＩ入出力部
２０２    ＨＤＭＩ入出力部
２０３    ＨＤＭＩ入出力部
２０４    ｉＬｉｎｋ入出力部
２０５    赤外線受光部
２０６    アクティブ状態判断部
２０７    表示部
２０８    映像データ取得部（データ受信部）
２０９    チューナ部
２１０    コマンド送受信部（受信装置制御信号受信手段）
【図１】
2009159313.tif 000003
【図２】
2009159313.tif 000004
【図３】
2009159313.tif 000005
【図４】
2009159313.tif 000006
【図５】
2009159313.tif 000007
【図６】
2009159313.tif 000008
【図７】
2009159313.tif 000009